(57)【要約】パーソナルウェルネス装置は二つのハウジング本体と力センサとユーザインタフェイスと、一又は複数のプロセッサと及び／又は他の構成装置を備える。第１のハウジング本体と第２のハウジング本体は、前記二つのハウジング本体が開姿勢と閉姿勢との間で再構成できるような接続機構によって、移動可能に一緒に接続されていてもよい。力センサは、閉姿勢の間二つのハウジング本体に作用する圧縮力に関連する情報を伝達する力出力信号を生成するように構成されてもよい。ユーザインタフェイスは、開姿勢の二つのハウジング本体においてアクセス可能であってもよい。一又は複数のプロセッサはユーザインタフェイスを介して二つのハウジング本体上で発揮された圧縮力に関連付けられており、力出力信号から得られた情報を提供するよう構成された提供モジュールを含む一又は複数のコンピュータプログラムモジュールを実行するよう構成される。
2015529474.tif 000002
【特許請求の範囲】
【請求項１】
第１のハウジング本体と第２のハウジング本体を含む二つのハウジング本体を備えたパーソナルウェルネス装置であって、
前記第１のハウジング本体と前記第２の本体は、前記二つのハウジング本体が開姿勢と閉姿勢との間で再構成可能となるように接続機構によって可動に接続されており、
前記二つのハウジング本体は、前記閉姿勢において個人のエクササイズ中に圧縮力を受けるよう構成されており、
前記パーソナルウェルネス装置はさらに、
前記二つのハウジング本体の一つによって収容され、前記閉姿勢にある前記二つのハウジング本体に作用する圧縮力に関連する情報を伝達する力出力信号を生成するよう構成された力覚センサと、
前記二つのハウジング本体の一つに収容されており、ユーザからの情報を受信し前記ユーザに情報を提供するよう構成され、前記二つのハウジング本体が前記開姿勢にある場合にアクセス可能なユーザインタフェイスと、
前記二つのハウジング本体の一つによって収容されており、一又は複数のコンピュータプログラムモジュールを実行する一又は複数のプロセッサと、
を備え、
前記一又は複数のコンピュータプログラムモジュールは、前記ユーザインタフェイスを介して前記二つのハウジング本体に作用する圧縮力に関連する情報を提供する提供モジュールを備え、前記情報は前記力出力信号から得られたものであることを特徴とするパーソナルウェルネス装置。
【請求項２】
前記接続機構は、ヒンジ、ジョイント、回り継ぎ手、又はスライドトラックを一つ以上含むことを特徴とする請求項１記載のパーソナルウェルネス装置。
【請求項３】
前記二つのハウジング本体の一つに収容され、ビジュアルデータをキャプチャするよう構成されたカメラ装置をさらに備える請求項１記載のパーソナルウェルネス装置。
【請求項４】
前記二つのハウジング本体の一つに収容され、ユーザに触覚フィードバックを提供するよう構成されたアクチュエータをさらに備える請求項１記載のパーソナルウェルネス装置。
【請求項５】
前記二つのハウジング本体の一つに収容され、前記パーソナルウェルネス装置の地理的位置に関連する情報を伝達する位置出力信号を生成するよう構成された地理的位置センサをさらに備え、前記提供モジュールは、さらに前記位置出力信号から得られた情報を前記ユーザインタフェイスを介して提供するように構成されたことを特徴とする請求項１記載のパーソナルウェルネス装置。
【請求項６】
前記二つのハウジング本体の一つに収容され、前記パーソナルウェルネス装置の動き及び／又は方向に関連する情報を伝達する動き出力信号を生成するよう構成されたモーションセンサをさらに含み、前記提供モジュールは、さらに前記動き出力信号によって得られた情報を前記ユーザインタフェイスを介して提供するように構成されたことを特徴とする請求項１記載のパーソナルウェルネス装置。
【請求項７】
前記二つのハウジング本体の一つに収容され、前記パーソナルウェルネス装置を運ぶユーザによる歩数に関連する情報を伝達する歩数出力信号を生成するよう構成された歩数計をさらに備え、前記提供モジュールは、さらに前記歩数に関する出力信号から得られた情報を前記ユーザインタフェイスを介して提供することを特徴とする請求項１記載のパーソナルウェルネス装置。
【請求項８】
前記二つのハウジング本体の一つに収容され、前記パーソナルウェルネス装置に関連付けられたユーザの心拍数に関連する情報を伝達する心拍数出力信号を生成するように構成された心拍数センサをさらに備え、前記提供モジュールは、さらに前記心拍数出力信号から得られた情報を前記ユーザインタフェイスを介して提供することを特徴とする請求項１記載のパーソナルウェルネス装置。
【請求項９】
筋電気刺激インタフェイスをさらに備え、前記筋電気刺激インタフェイスは、前記パーソナルウェルネス装置を電極に着脱可能に接続するよう構成され、前記電極は、筋電気刺激をユーザに提供するよう構成され、前記筋電気刺激インタフェイスは、前記二つのハウジング本体の一つに収容されることを特徴とする請求項１記載のパーソナルウェルネス装置。
【請求項１０】
前記二つのハウジング本体の一つに収容され、前記パーソナルウェルネス装置から情報を受信及び／又は送信するよう構成された通信装置をさらに備える請求項１記載のパーソナルウェルネス装置。
【請求項１１】
前記通信装置は、無線通信インタフェイス及び有線通信インタフェイスのうち一つ又はその両方を含むことを特徴とする請求項１０記載のパーソナルウェルネス装置。
【請求項１２】
前記通信装置は、前記パーソナルウェルネス装置をユーザアクセサリに通信可能に接続し、前記ユーザアクセサリは、前記パーソナルウェルネス装置と別体で別個のものであることを特徴とする請求項１０記載のパーソナルウェルネス装置。
【請求項１３】
前記通信装置は、前記パーソナルウェルネス装置を血圧センサに通信可能に接続するよう構成され、前記血圧センサは、前記パーソナルウェルネス装置に関連付けられているユーザの血圧に関連する情報を伝達する血圧出力信号を生成するように構成され、前記提供モジュールは、さらに前記血圧出力信号から得られる情報を前記ユーザインタフェイスを介して提供するよう構成されることを特徴とする請求項１０記載のパーソナルウェルネス装置。
【請求項１４】
前記通信装置は、前記二つのハウジング本体に作用する圧縮力に関連する情報を受信し処理するコンピューティングプラットフォームに、前記パーソナルウェルネス装置を通信可能に接続することを特徴とする請求項１０記載のパーソナルウェルネス装置。
【請求項１５】
前記二つのハウジング本体の一つに収容され、電子的に情報を保存するよう構成される電子ストレージをさらに含む請求項１記載のパーソナルウェルネス装置。
【請求項１６】
前記ユーザインタフェイスは、オーディオ情報をキャプチャするよう構成されたマイクロフォンを含み、前記一又は複数のコンピュータプログラムモジュールは、さらに音声命令モジュールを含み、
前記音声命令モジュールは、
前記マイクロフォンでキャプチャされた音声命令を含むオーディオ情報を受信し、
前記音声命令を含む前記オーディオ情報の受信に応じて、受信した前記オーディオ情報の前記音声命令に対応した処理を前記一又は複数のプロセッサにより開始することを特徴とする請求項１記載のパーソナルウェルネス装置。
【請求項１７】
ユーザのバイオメトリクスの特徴に関連する情報を伝達するバイオメトリック出力信号を生成するよう構成されたバイオメトリクスセンサをさらに備え、前記一又は複数のコンピュータプログラムモジュールは、さらに前記バイオメトリック出力信号から得られる情報に基づいて前記ユーザを特定するよう構成されたバイオメトリクスモジュールを備えることを特徴とする請求項１記載のパーソナルウェルネス装置。
【請求項１８】
前記一又は複数のコンピュータプログラムモジュールが、前記パーソナルウェルネス装置内に設けられ又は前記パーソナルウェルネス装置と通信可能に接続された心拍数センサ又は血圧センサを介して前記パーソナルウェルネス装置と関連付けられたユーザの一又は複数のバイタルサインを監視するように構成された緊急アラートモジュールをさらに含み、前記緊急アラートモジュールは、前記一又は複数のバイタルサインのうち閾値条件に合致する各々のバイタルサインに応じて、緊急対応サービスに緊急アラートを提供することを特徴とする請求項１記載のパーソナルウェルネス装置。
【請求項１９】
前記一又は複数のコンピュータプログラムモジュールは、情報を電子的に保存するように構成された遠隔電子ストレージに前記パーソナルウェルネス装置によって保存された情報を送信することで、前記パーソナルウェルネス装置によって保存された情報をバックアップするよう構成されたバックアップモジュールをさらに備えることを特徴とする請求項１記載のパーソナルウェルネス装置。
【請求項２０】
前記一又は複数のコンピュータプログラムモジュールは、さらにアップデートモジュールを備え、前記アップデートモジュールは、
ソフトウェアアップデート及び／又はファームウェアアップデートを受信し、
前記一又は複数のプロセッサにおいて前記ソフトウェアアップデート及び／又はファームウェアアップデートを実行するよう構成されることを特徴とする請求項１記載のパーソナルウェルネス装置。
【請求項２１】
前記一又は複数のコンピュータプログラムモジュールは、前記パーソナルウェルネス装置に個人間の通信機能を提供するよう構成された通信モジュールをさらに備え、前記個人間の通信機能には、ＶｏＩＰ、ショートメッセージサービス、マルチメディアメッセージングサービス、ビデオ会議、又は電話が一つ以上含まれることを特徴とする請求項１記載のパーソナルウェルネス装置。
【発明の詳細な説明】
【技術分野】
【０００１】
関連出願の相互参照
本出願は、２０１２年６月１９日に出願された米国特許出願第１３／５２７，４６５号の優先権を主張し、この米国特許出願の全内容が引用により本明細書に組み入れられる。
【０００２】
本発明は、その装置を使うことで個人のエクササイズを促し、個人のウェルネス（Ｗｅｌｌｎｅｓｓ、健康）及び／又は個人のエクササイズの態様を決定及び／又は評価することで個人のウェルネスを促進する携帯型の装置に関する。
【背景技術】
【０００３】
個人がエクササイズしている間に用いられる装置は、典型的には設置型又は携帯型であると考えられている。設置型の装置では、繰り返しの回数、消費するカロリーなどのエクササイズのルーチンの様々な態様が定量化される。一般に、携帯型の装置は、より大きい設置型装置と比べてかなり低い機能しか有しない。
【発明の概要】
【０００４】
本発明の一態様は、一以上の実施形態に従って、パーソナルウェルネス装置を介して、個人のウェルネスを促すように構成される個人のウェルネスシステムに関する。パーソナルウェルネス装置は、その装置を利用することで個人のエクササイズを促すよう構成された、携帯型のハンドヘルド装置であってもよい。ある実施形態においては、前記パーソナルウェルネス装置に作用する圧縮力が、前記パーソナルウェルネス装置内に含まれる力覚センサの使用により、測定され及び／又は記録されてもよい。パーソナルウェルネス装置の地理的位置及び／又は動きは、前記パーソナルウェルネス装置によって発揮される個人のエクササイズを計測及び／又は記録するのに利用されてもよい。ある実施形態においては、前記パーソナルウェルネス装置に含まれる歩数計を利用することで、歩数及び／又は移動距離が決定されてもよい。筋電気刺激（ｅｌｅｃｔｒｉｃａｌ  ｍｕｓｃｌｅ  ｓｔｉｍｕｌａｔｉｏｎ、ＥＭＳ）といった療法が、前記パーソナルウェルネス装置によって促されてもよい。
【０００５】
前記パーソナルウェルネス装置は、個人の健康及び／又はエクササイズの一態様を決定又は評価することで、個人の健康状態を促進してもよい。一例として、個人の健康の一態様は、バイタルサイン、個人のフィットネスの傾向、エクササイズの回数、及び／または個人の健康の他の態様が含まれる。一方、個人のエクササイズの一態様として、繰り返しの回数、消費カロリー、エクササイズの時間、及び／又は個人エクササイズの他の態様が含まれる。ある実施形態においては、パーソナルウェルネス装置は個人のウェルネスの管理を促すものであってもよい。
【０００６】
前記パーソナルウェルネス装置は、インターネットプロトコルを用いた音声通話（Ｖｏｉｃｅ  ｏｖｅｒ  Ｉｎｔｅｒｎｅｔ  Ｐｒｏｔｏｃｏｌ、ＶｏＩＰ）やショートメッセージサービス、マルチメディアメッセージングサービス、ビデオ会議、電話、及び／又は他の個人間のコミュニケーションといった、個人間のコミュニケーションを促すよう構成されてもよい。ある実施形態によって、パーソナルウェルネス装置は、社交や商売を促してもよい。
【０００７】
前記パーソナルウェルネス装置に加え、パーソナルウェルネスシステムは、ユーザアクセサリ、外部のリソース、パーソナルコンピューティングプラットフォーム、パーソナルウェルネスプラットフォームサーバ、及び／又は前記パーソナルウェルネス装置が有する一又は複数の機能を補完及び／又は含む他の構成装置を一つ以上含んでもよい。前記パーソナルウェルネス装置、前記パーソナルコンピューティングプラットフォーム、前記パーソナルウェルネスプラットフォームサーバ、前記ユーザアクセサリ、及び／又は外部リソースといった前記パーソナルウェルネスシステムの構成装置は電子的な通信リンクを介して操作可能に接続されていてもよい。
【０００８】
前記パーソナルウェルネス装置は、力覚センサ、現在位置計測センサ、モーションセンサ、心拍数センサ、血糖値センサ、バイオメトリクスセンサ、歩数計、筋電気刺激（ＥＭＳ）インタフェイス、カメラ装置、アクチュエータ、ユーザインタフェイス、コミュニケーション装置、電源、電気的なストレージ、プロセッサ、及び／又は他の構成装置を一つ以上含んでもよい。一又は複数のハウジング本体により、前記パーソナルウェルネス装置の一又は複数の構成装置が収容されていてもよい。二つのハウジング本体を有する実施形態において、第１のハウジング本体と第２のハウジング本体は、前記二つのハウジング本体が開姿勢と閉姿勢との間で再構成できるような接続機構によって、可動に一緒に接続されていてもよい。前記二つのハウジング本体は、閉姿勢において、個人のエクササイズの間に圧縮力を受けるように構成されてもよい。
【０００９】
前記力センサは、前記パーソナルウェルネス装置上に発揮された圧縮力に関連する情報を伝達する力出力信号を生成するように構成されてもよい。このような情報は、力の大きさ、力がかかる期間、時間関数で表現される力の大きさのプロファイル、圧縮力の量及び／または前記パーソナルウェルネス装置に作用する圧縮力に関連する他の情報を含む、又は決定するよう用いられてもよい。本明細書においてさらに記載されるとおり、前記力センサで生成される前記力出力信号は、前記プロセッサで実行可能な一又は複数のモジュールによって受信され、及び／又は利用されてもよい。
【００１０】
前記地理的位置センサは、前記パーソナルウェルネス装置の地理的位置に関連する情報を伝達する位置出力信号を生成するように構成されてもよい。前記位置出力信号は、個人のエクササイズの一又は複数のパラメータを測るために用いられてもよい。このようなパラメータは、速度、移動距離、移動の経路、及び／又はパーソナルウェルネス装置の地理的位置に関連する他のパラメータであってもよい。
【００１１】
前記モーションセンサは、前記パーソナルウェルネス装置の動き及び／又は方向に関連する情報を伝達するモーション出力信号を生成するように構成されてもよい。前記モーション出力信号は、動き、動きの変化、方向、方向の変化、及び／又はそれらから得られる情報を測定するために用いられてもよい。
【００１２】
前記心拍数センサは、前記パーソナルウェルネス装置に関連付けられたユーザの心拍数に関連する情報を伝達する心拍数出力信号を生成するように構成されてもよい。心拍数センサは心電図検査法（ｅｌｅｃｔｒｏｃａｒｄｉｏｇｒａｐｈｙ、ＥＣＧ又はＥＫＧ）が利用されてもよい前記心拍数出力信号は、後の診察及び／又は分析のために用いられる心拍数データを記録するために用いられてもよいし、又はリアルタイムで心拍数を監視するために用いられてもよいある実施形態においては、前記心拍数センサがユーザと前記パーソナルウェルネス装置との間で物理的に接触する方法で前記ユーザの心拍数を計測できるように、前記心拍数センサが前記パーソナルウェルネス装置に統合されていてもよい。ある実施形態においては、前記心拍数センサが、前記パーソナルウェルネス装置から別体で別個のものである心拍数センサと通信可能に接続していてもよい。
【００１３】
前記血糖センサは、前記パーソナルウェルネス装置に関連付けられたユーザの血中の糖分の濃度に関連する情報を伝達する糖分出力信号を生成するように構成されてもよい。前記糖分出力信号は、糖分の濃度及び／又はそれらから得られる情報を決定するために用いられてもよい。ある実施形態では、前記血糖センサは、前記糖分出力信号を生成するために、ユーザに血液のサンプルを要求してもよい。ある実施形態においては、前記血糖センサは、糖分の濃度を決定するために、近赤外線検知、超音波、誘電分光、及び／又は他の非侵襲性技術を含む一又は複数の非侵襲性技術に基づくものでもよい。
【００１４】
前記バイオメトリクスセンサは、ユーザのバイオメトリクスの特徴に関連する情報を伝達するバイオメトリクス出力信号を生成するように構成されてもよい。前記バイオメトリクス出力信号は、前記パーソナルウェルネス装置のユーザの特定及び／又は認証のために用いられてもよい。ユーザのバイオメトリクスの特徴として、前記ユーザの体の形に関連する生理形質を含んでもよい。
【００１５】
前記歩数計は、前記パーソナルウェルネス装置を運ぶユーザの歩数に関連する情報を伝達する歩数出力信号を生成するように構成されてもよい。前記歩数出力信号は、歩数、移動距離、及び／またはユーザの歩数から得られる、若しくはに関連する他の情報を決定するために用いられてもよい。
【００１６】
前記筋電気刺激インタフェイスは、電極を有する前記パーソナルウェルネス装置と遠隔で接続されるように構成されてもよい。前記電極は、ユーザに筋電気刺激を与えるよう構成されてもよい。ある実施形態においては、電気パルス（又は、他の波形）が前記筋電気刺激インタフェイスによって前記電極に与えられ、そして近接の筋肉が受動的にエクササイズされるようユーザの体の表面領域に前記電気パルスが伝達されてもよい。
【００１７】
前記カメラ装置は、ビジュアルデータをキャプチャするよう構成されてもよい。前記ビジュアルデータは、静止画、ビデオ、及び／または他のビジュアルデータであってもよい。ある実施形態において、前記カメラ装置はバイオメトリクスセンサとして利用されてもよい。
【００１８】
前記アクチュエータは、ユーザに触覚的なフィードバックを与えるよう構成されてもよい。触覚的なフィードバックは、好ましくは、ある使用形態において、例えばオーディオ又はビジュアルといった他のフィードバックメカニズムが不必要であってもよい。触覚的なフィードバックは、前記ユーザに与えられる力、振動、動き、及び／又は他の触覚的なフィードバックを含んでもよい。前記アクチュエータは、前記パーソナルウェルネス装置の一又は複数の動きを生じさせるよう構成される機械式の装置を含んでもよい。
【００１９】
前記ユーザインタフェースは、ユーザからの情報を受信し、情報を前記ユーザに提供するよう構成されてもよい。このように、前記ユーザインタフェースは、前記ユーザから情報を受信し、及び／又は前記ユーザに情報を提供することを促進するためのハードウェア及び／又はソフトウェアを含んでもよい。入力装置の例として、タッチスクリーン、タッチパッド、キーパッド、スイッチ、アナログスティック、ボタン、ダイアル、マイクロフォン、バイオメトリクスセンサ、及び／又はユーザから情報を受信するための他のハードウェアが一つ以上含まれる。出力装置の例として、ディスプレイ、タッチスクリーン、スピーカ、及び／又はユーザに情報を提供するように構成される他のハードウェアが一つ以上含まれる。ある実施形態においては、前記ユーザインタフェイスは、開姿勢において、ユーザにより前記パーソナルウェルネス装置にアクセス可能であってもよい。様々な実施形態において、前記パーソナルウェルネス装置が閉姿勢において、全て又は一部のユーザインタフェイスがユーザによりアクセス可能であってもよい。様々な実施形態において、前記パーソナルウェルネス装置が閉姿勢において全てのユーザインタフェイスがユーザによりアクセス不可能であってもよい。
【００２０】
前記通信装置は、前記パーソナルウェルネス装置から情報を受信及び／又は送信するよう構成されてもよい。このように、前記通信装置は、無線通信インタフェイス及び有線通信インタフェイスのうち一つ又はその両方を含んでもよい。前記通信装置は、前記パーソナルウェルネス装置をコンピューティングプラットフォームに通信可能に接続し（例えば、前記パーソナルコンピューティングプラットフォーム及び／又は前記パーソナルウェルネスプラットフォームサーバ）、前記二つのハウジング本体、前記パーソナルウェルネス装置から分離し区別されるユーザアクセサリ、及び／又は前記パーソナルウェルネスシステムの他の構成装置に作用する圧縮力に関連する情報を受信し、処理するよう構成されてもよい。
【００２１】
上述のように、前記パーソナルウェルネス装置は、電源、電子ストレージ、プロセッサ、及び／又は他の構成装置を含んでもよい。前記電源供給部は、電力を前記パーソナルウェルネス装置の一又は複数の構成装置に供給するよう構成されてもよい。前記電子ストレージは、情報を電子的に保存するよう構成されてもよい。前記プロセッサは、コンピュータプログラムモジュールを実行するように構成されてもよい。
【００２２】
前記ユーザアクセサリは、物理的に、及び／又は通信可能に前記パーソナルウェルネス装置と接続するように構成されてもよい。前記ユーザアクセサリは、前記パーソナルウェルネス装置におけるエクササイズの能力を拡張するよう構成されてもよく、前記パーソナルウェルネス装置のユーザに治療を提供するよう構成されてもよく、前記パーソナルウェルネス装置のユーザの一又は複数のバイタルサインの監視を促すよう構成されてもよく、及び／又は前記パーソナルウェルネス装置の他の機能を拡張するよう構成されてもよい。
【００２３】
前記パーソナルコンピューティングプラットフォームは、電子ストレージ、少なくとも一つのプロセッサ、及び／または他の構成装置を一つ以上含んでもよい。前記電子ストレージは、情報を電子的に保存するよう構成されてもよい。前記プロセッサは、コンピュータプログラムモジュールを実行するように構成されてもよい。前記パーソナルコンピューティングプラットフォームは、前記パーソナルウェルネス装置及び／又は前記パーソナルウェルネスシステムの他の構成装置と通信可能に接続するよう構成されてもよい。ある実施形態においては、前記コンピューティングプラットフォームは、パーソナルコンピュータ、ノートパソコン、タブレットコンピュータ、スマートフォン、パーソナルディジタルアシスタント（Ｐｅｒｓｏｎａｌ  Ｄｉｇｉｔａｌ  Ａｓｓｉｓｔａｎｔ、ＰＤＡ）、ゲームコンソール、及び／又は他のコンピューティングプラットフォームのうち一つ以上を含んでもよい。
【００２４】
前記パーソナルウェルネスプラットフォームサーバは、電子ストレージ、少なくとも一つのプロセッサ、及び／または他の構成装置を一つ以上含んでもよい。前記電子ストレージは、情報を電子的に保存するよう構成されてもよい。前記プロセッサは、コンピュータプログラムモジュールを実行するように構成されてもよい。前記パーソナルウェルネスプラットフォームサーバは、前記パーソナルウェルネス装置及び／又は前記パーソナルウェルネスシステムの他の構成装置と通信可能に接続するように構成されてもよい。
【００２５】
一又は複数の前記パーソナルウェルネス装置、前記パーソナルコンピューティングプラットフォーム、及び／又は前記パーソナルウェルネスプラットフォームサーバのプロセッサは前記パーソナルウェルネスシステムにおいて、情報を処理する能力を与えるよう構成されてもよい。これらの一又は複数のプロセッサは、提供モジュール、音声命令モジュール、バイオメトリクスモジュール、緊急アラートモジュール、バックアップモジュール、アップデートモジュール、通信モジュール及び／又は他のコンピュータプログラムモジュールを一つ以上実行するよう構成されてもよい。
【００２６】
前記提供モジュールは、前記パーソナルウェルネス装置の前記ユーザインタフェイスを介して前記パーソナルウェルネスシステムに関連付けられた情報を提供するよう構成されてもよい。このような情報は、視覚的に、音として、及び／または他の提供される方法で提供されてもよい。ある実施形態によると、前記提供モジュールは、力センサにより提供される力出力信号から得られた情報、地理的位置センサにより提供される位置出力信号から得られた情報、モーションセンサにより提供される動き出力信号から得られた情報、歩数計により提供される歩数出力信号から得られた情報、心拍数センサにより提供される心拍数出力信号から得られた情報、血圧センサにより提供される血圧出力信号から得られた情報、一又は複数の他のモジュールにより提供される情報、及び／又はパーソナルウェルネスシステムと関連付けられた他の情報を提供するよう構成されてもよい。
【００２７】
前記音声命令モジュールは、音声の命令を受信し、受信した音声の命令に基づいて対応する操作を開始するように構成されてもよい。前記パーソナルウェルネス装置のユーザインタフェイスがマイクロフォンを含む実施形態において、前記音声命令モジュールが、前記マイクロフォンでキャプチャされ音声命令を含むオーディオ情報を受信するように構成されてもよい。前記音声命令モジュールは、音声命令を含むオーディオ情報の受信に応じて受信したオーディオ情報の音声命令に対応する操作を一又は複数のプロセッサにより開始するよう構成されてもよい。前記音声命令モジュールは、音声認識、音声テキスト変換、及び／又は他の音声に関する技術を一つ以上用いてもよい。前記音声命令モジュールは、話者の音声に基づいて話者を特定するように構成されてもよい。
【００２８】
前記バイオメトリクスモジュールは、バイオメトリクス情報に基づいてユーザを特定し、及び／又は認証するよう構成されてもよい。前記バイオメトリクス情報は、前記バイオメトリクスセンサによって提供されるバイオメトリクス出力信号から得られたものであってもよい。前記バイオメトリクス情報は、ユーザの体の形に関連する生理的形質といったユーザのバイオメトリクスの特徴と関連付けられてもよい。生理的な形質の例として、指紋、顔、手のひら、手、虹彩、網膜、及び／または他の生理的な形質が含まれる。前記バイオメトリクスモジュールは、所定のユーザに関連付けられたバイオメトリクス情報を前記パーソナルウェルネス装置、前記パーソナルコンピューティングプラットフォーム、前記パーソナルウェルネスプラットフォームサーバ、及び／又は前記パーソナルウェルネスシステムの他の構成装置に保存されるバイオメトリクス情報と比較することで該所定のユーザを特定し、及び／又は認証してもよい。
【００２９】
前記緊急アラートモジュールは、前記パーソナルウェルネス装置に関連付けられたユーザの一又は複数のバイタルサインを監視するよう構成されてもよい。バイタルサインの例として、体温、心拍数、呼吸レート、血圧、及び／又は他のバイタルサインが一つ以上含まれてもよい。心拍数センサ、血圧センサ、及び／又は前記パーソナルウェルネス装置に通信可能に接続される、若しくは含まれる他のセンサを介して、又はと共にバイタルサインの監視が行われてもよい。前記緊急アラートモジュールは、閾値条件に合致する一又は複数のバイタルサインの個々のバイタルサインに応じて、緊急アラートを緊急対応サービスに提供するよう構成されてもよい。例えば、ユーザの心拍数が閾値レートより下回ったことに応じて、緊急アラートが緊急対応サービスに送信されてもよい。
【００３０】
前記バックアップモジュールは、前記パーソナルウェルネス装置に保存されている情報をバックアップするよう構成されてもよい。前記パーソナルウェルネス装置に保存される情報が、電子的に情報を保存するよう構成された遠隔電子ストレージに送信されてもよい。前記バックアップモジュールは、スケジュールに従って、ユーザの命令に応じて、前記パーソナルウェルネス装置に保存されている情報に応じて、前記パーソナルコンピューティングプラットフォーム若しくは／並びに前記パーソナルウェルネスプラットフォームサーバと前記パーソナルウェルネス装置が通信可能に接続されるのに応じて、及び／又は他の条件に基づいてバックアップを行うよう構成されてもよい。
【００３１】
前記アップデートモジュールは前記パーソナルウェルネス装置のソフトウェア及び／又はファームウェアのアップデートを管理する。ソフトウェアアップデート及び／又はファームウェアアップデートはパーソナルコンピューティングプラットフォーム、パーソナルウェルネスプラットフォームサーバ、及び／又はパーソナルウェルネスシステムの他の構成装置から送信されてもよい。ソフトウェアアップデート及び／又はファームウェアアップデートは、前記パーソナルウェルネス装置によって受信してもよい。ソフトウェアアップデート及び／又はファームウェアアップデートは、前記プロセッサ及び／又は前記パーソナルウェルネス装置の他の構成装置に実装・されてもよい。
【００３２】
通信モジュールは、個人間の通信機能を前記パーソナルウェルネス装置に提供するよう構成されてもよい。個人間の通信機能の例として、インターネットプロトコルを用いた音声通話（Ｖｏｉｃｅ  ｏｖｅｒ  Ｉｎｔｅｒｎｅｔ  Ｐｒｏｔｏｃｏｌ、ＶｏＩＰ）やショートメッセージサービス（ｓｈｏｒｔ  ｍｅｓｓａｇｅ  ｓｅｒｖｉｃｅ、ＳＭＳ）、マルチメディアメッセージングサービス（ｍｕｌｔｉｍｅｄｉａ  ｍｅｓｓａｇｉｎｇ  ｓｅｒｖｉｃｅ、ＭＭＳ）、ビデオ会議、電話、及び／又は他の個人間の通信機能が一つ以上含まれていてもよい。前記通信モジュールは、個人間の通信機能を提供するため、パーソナルウェルネス装置のユーザインタフェイスと共に動作してもよい。
【００３３】
本発明の上記及び上記以外の目的、特徴、及び性質、並びに、関連する構成要素の動作方法及び機能、そして製造における各部分の組み合わせと経済性については、添付図面を参照しつつ以下の詳細な説明と添付の特許請求の範囲を検討することによってさらに明らかになる。これらはいずれも本明細書の一部を構成する。本明細書において、同様の参照符号は種々の図における対応部分を表している。添付図面は例示及び説明のためのものであり、本発明の発明特定事項の定義として用いることは意図されていない。本明細書及び特許請求の範囲における用法によれば、単数形の「ａ」、「ａｎ」及び「ｔｈｅ」には複数のものへの言及が含まれる。ただし、文脈によって別に解すべきことが明白な場合はこの限りでない。
【図面の簡単な説明】
【００３４】
【図１】本発明の一又は複数の実施形態に係るパーソナルウェルネス装置を介して個人のウェルネスを促すよう構成されたパーソナルウェルネスシステムを示す図。
【００３５】
【図２】本発明の様々な実施形態に係るパーソナルウェルネス装置のの例を示す図。図２Ａは、二つのハウジング本体が閉姿勢であるパーソナルウェルネス装置の一例を示す図である。図２Ｂは、二つのハウジング本体が開姿勢であるパーソナルウェルネス装置の一例を示す図である。
【図３】本発明の様々な実施形態に係るパーソナルウェルネス装置の例を示す図。図３Ａは、二つのハウジング本体が閉姿勢であるパーソナルウェルネス装置の一例を示している。図３Ｂは、二つのハウジング本体が開姿勢であるパーソナルウェルネス装置の一例を示している。図３Ｃは、二つのハウジング本体が互いに相対的に平行移動できるパーソナルウェルネス装置の一例を示している。図３Ｄは、二つのハウジング本体が互いに相対的に回転することができる二つのハウジング本体の一例を示している。
【図４】本発明の様々な実施形態に係るパーソナルウェルネス装置の開姿一例を示す図。図４Ａは、二つのハウジング本体が閉姿勢であるパーソナルウェルネス装置の例を示している。図４Ｂは、二つのハウジング本体が開姿勢であるパーソナルウェルネス装置の例を示している。
【００３６】
【図５】本発明の一又は複数の実施形態に係る個人用のウェルネスシステムの一又は複数の構成装置の一例を示す図。
【００３７】
【図６】本発明の一又は複数の実施形態に係るパーソナルウェルネス装置を介した個人のウェルネスを促す方法を示す図
【発明を実施するための形態】
【００３８】
図１は、パーソナルウェルネス装置１０２を介して個人のウェルネス（健康、ｗｅｌｌｎｅｓｓ）を促進するよう構成された本発明の一又は複数の実施形態に係るパーソナルウェルネスシステム１００を示す。パーソナルウェルネス装置１０２は、その装置を利用することで、個人のエクササイズを促すよう構成された持ち運び可能なハンドヘルドの装置であってもよい。ある実施形態においては、パーソナルウェルネス装置１０２において発揮される圧縮力が、パーソナルウェルネス装置１０２に含まれる力覚センサの使用により、測定され及び／または記録されてもよい。パーソナルウェルネス装置１０２の地理的位置及び／又は動きが、前記パーソナルウェルネス装置によって発揮される個人のエクササイズを計測及び／又は記録するのに利用されてもよい。ある実施形態においては、パーソナルウェルネス装置１０２に含まれる歩数計を利用することで、歩数及び／又は移動距離が決定されてもよい。筋電気刺激（ｅｌｅｃｔｒｉｃａｌ  ｍｕｓｃｌｅ  ｓｔｉｍｕｌａｔｉｏｎ、ＥＭＳ）といった療法が、パーソナルウェルネス装置１０２によって促されてもよい。
【００３９】
パーソナルウェルネス装置１０２は、個人の健康及び／又はエクササイズの一態様を決定又は評価することで、個人の健康状態を促進してもよい。一例として、個人の健康の一態様は、バイタルサイン、個人のフィットネスの傾向、エクササイズの回数、及び／または個人の健康の他の態様が含まれる。一方、個人のエクササイズの一態様として、繰り返しの回数、消費カロリー、エクササイズの時間、及び／又は個人エクササイズの他の態様が含まれる。２０１２年６月１９日に出願された米国特許出願番号１３／５２７，４０１号（発明の名称：「Ｐｅｒｓｏｎａｌ  Ｗｅｌｌｎｅｓｓ  Ｍａｎａｇｅｍｅｎｔ  Ｐｌａｔｆｏｒｍ」）で記載された通り、ある実施形態においては、パーソナルウェルネス装置１０２は個人のウェルネスを管理することを促進する。この米国特許出願の全内容が引用により本明細書に組み入れられる。
【００４０】
パーソナルウェルネス装置１０２は、インターネットプロトコルを用いた音声通話（Ｖｏｉｃｅ  ｏｖｅｒ  Ｉｎｔｅｒｎｅｔ  Ｐｒｏｔｏｃｏｌ、ＶｏＩＰ）やショートメッセージサービス、マルチメディアメッセージングサービス、ビデオ会議、電話、及び／又は他の個人間のコミュニケーションといった、個人間のコミュニケーションを促すよう構成されてもよい。２０１２年６月１９日出願に出願された米国特許出願第１３／５２７，４３７号（発明の名称：「Ｍｅｒｃｈａｎｄｉｚｉｎｇ，  Ｓｏｃｉａｌｉｚｉｎｇ，  ａｎｄ／ｏｒ  Ｇａｍｉｎｇ  Ｖｉａ  ａ  Ｐｅｒｓｏｎａｌ  Ｗｅｌｌｎｅｓｓ  Ｄｅｖｉｃｅ  ａｎｄ／ｏｒ  ａ  Ｐｅｒｓｏｎａｌ  Ｗｅｌｌｎｅｓｓ  Ｐｌａｔｆｏｒｍ」）で記載された通り、ある実施形態に従って、パーソナルウェルネス装置１０２は、社交や商売を促してもよい。この米国特許出願の全内容が引用により本明細書に組み入れられる。
【００４１】
パーソナルウェルネス装置１０２に加え、パーソナルウェルネスシステム１００は、ユーザアクセサリ１０４、外部リソース１０６、パーソナルコンピューティングプラットフォーム１０８、パーソナルウェルネスプラットフォームサーバ１１０、及び／又はパーソナルウェルネス装置１０２が有する一又は複数の機能を補完及び／又は含む他の構成装置を一つ以上含んでもよい。前記パーソナルウェルネス装置１００、前記パーソナルコンピューティングプラットフォーム１０８、前記パーソナルウェルネスプラットフォームサーバ１１０、前記ユーザアクセサリ１０４、及び／又は外部リソース１０６といった前記パーソナルウェルネスシステムの構成装置は電子的な通信リンクを介して操作可能に接続されていてもよい。例えば、このような電子通信リンクは、少なくとも部分的にインターネット、ＷｉＦｉ、ＬＡＮ、Ｂｌｕｅｔｏｏｔｈ、及び／又は他のネットワークを含む有線又は無線ネットワークを介して確立されてもよい。これは限定を意図したものでなく、本開示の範囲は、個人ウェルネス装置１０２、パーソナルコンピューティングプラットフォーム１０８、個人用のウェルネスプラットフォームサーバ１１０、ユーザアクセサリ１０４及び／または外部リソース１０６が通信メディアを介して作動的に接続される実施形態を含むことが理解されるであろう。
【００４２】
図１に示されるとおり、パーソナルウェルネス装置１０２は、力覚センサ１１２、現在位置計測センサ１１４、モーションセンサ１１６、心拍数センサ１１８、血糖センサ１２０、バイオメトリクスセンサ１２２、歩数計１２４、筋電気刺激（ＥＭＳ）インタフェイス１２６、カメラ装置１２８、アクチュエータ１３０、ユーザインタフェイス１３２、コミュニケーション装置１３４、電源１３６、電気的なストレージ１３８、プロセッサ１４０、及び／又は他の構成装置を一つ以上含んでもよい。パーソナルウェルネス装置１０２は、図２Ａ、図２Ｂ、図３Ａ、図３Ｂ、図３Ｃ、図３Ｄ、図４Ａ、及び図４Ｂに示されるとおり、一又は複数のハウジング本体に収容される。二つのハウジング本体を有する実施形態において、第１のハウジング本体と第２のハウジング本体は、前記二つのハウジング本体が開姿勢と閉姿勢との間で再構成できるような接続機構によって、可動に一緒に接続されていてもよい。前記二つのハウジング本体は、閉姿勢において、個人のエクササイズの間に圧縮力を受けるように構成されてもよい。
【００４３】
力センサ１１２は、パーソナルウェルネス装置１０２上に発揮された圧縮力に関連する情報を伝達する力出力信号を生成するように構成されてもよい。このような情報は、力の大きさ、力がかかる期間、時間関数で表現される力の大きさのプロファイル、圧縮力の量及び／またはパーソナルウェルネス装置１０２に作用する圧縮力に関連する他の情報を含む、又は決定するよう用いられてもよい。本明細書においてさらに記載されるとおり、力センサ１１２で生成される前記力出力信号は、プロセッサ１４０で実行可能な一又は複数のモジュールによって受信され、及び／又は利用されてもよい。非制限的な例として、力センサ１１２はＴｅｋｓｃａｎによるＦｌｅｘｉＦｏｒｃｅ  Ａ２０１力センサを含んでもよい。しかしながら、力を検知するよう構成された他の装置も本発明の範囲内に含まれる。
【００４４】
地理的位置センサ１１４は、パーソナルウェルネス装置１０２の地理的位置に関連する情報を伝達する位置出力信号を生成するように構成されてもよい。前記位置出力信号は、個人のエクササイズの一又は複数のパラメータを測るために用いられてもよい。このようなパラメータは、速度、移動距離、移動の経路、及び／又はパーソナルウェルネス装置１０２の地理的位置に関連する他のパラメータであってもよい。非制限的な例として、地理的位置センサ１１４は、ＧＰＳ装置及び／又は地理的位置に関連する信号を生成するよう構成された他の装置であってもよい。しかしながら、位置を計測するよう構成された他の装置も考えられ、本発明の範囲内に含まれる。
【００４５】
モーションセンサ１１６は、パーソナルウェルネス装置１０２の動き及び／又は方向に関連する情報を伝達するモーション出力信号を生成するように構成されてもよい。前記モーション出力信号は、動き、動きの変化、方向、方向の変化、及び／又はそれらから得られる情報を測定するために用いられてもよい。非制限的な例として、モーションセンサ１１６は、動き及び／又は方向に関連した信号を生成するよう構成された加速度計を含んでもよい。しかしながら、動き及び／又は方向を計測し、及び／又は検知するよう構成された他の装置や方法も考えられ、本発明の範囲内に含まれる。
【００４６】
心拍数センサ１１８は、パーソナルウェルネス装置１０２に関連付けられたユーザの心拍数に関連する情報を伝達する心拍数出力信号を生成するように構成されてもよい。心拍数センサ１１８は心電図検査法（ｅｌｅｃｔｒｏｃａｒｄｉｏｇｒａｐｈｙ、ＥＣＧ又はＥＫＧ）が利用されてもよい前記心拍数出力信号は、後の診察及び／又は分析のために用いられる心拍数データを記録するために用いられてもよいし、又はリアルタイムで心拍数を監視するために用いられてもよいある実施形態においては、心拍数センサ１１８がユーザとパーソナルウェルネス装置１０２との間で物理的に接触する方法で前記ユーザの心拍数を計測できるように、前記心拍数センサ１１８がパーソナルウェルネス装置１０２に統合されていてもよい。ある実施形態においては、心拍数センサ１１８が、パーソナルウェルネス装置１０２から別体で別個のものである心拍数センサと通信可能に接続していてもよい。別体で別個のものである心拍数センサの例として、胸ストラップ、フィンガークリップ、心拍数センサが統合された装飾品、及び／又は心拍数を検知するよう構成された他の装置がある。
【００４７】
血糖センサ１２０は、パーソナルウェルネス装置１０２に関連付けられたユーザの血中の糖分の濃度に関連する情報を伝達する糖分出力信号を生成するように構成されてもよい。前記糖分出力信号は、糖分の濃度及び／又はそれらから得られる情報を決定するために用いられてもよい。ある実施形態では、血糖センサ１２０は、前記糖度出力信号を生成するために、ユーザに血液のサンプルを要求してもよい。ある実施形態においては、血糖センサ１２０は、糖分の濃度を決定するために、近赤外線検知、超音波、誘電分光、及び／又は他の非侵襲性技術を含む一又は複数の非侵襲性技術に基づくものでもよい。
【００４８】
バイオメトリクスセンサ１２２は、ユーザのバイオメトリクスの特徴に関連する情報を伝達するバイオメトリクス出力信号を生成するように構成されてもよい。前記バイオメトリクス出力信号は、パーソナルウェルネス装置１０２のユーザの特定及び／又は認証のために用いられてもよい。ユーザのバイオメトリクスの特徴として、前記ユーザの体の形に関連する生理形質を含んでもよい。生理的な形質の例として、指紋、顔、手のひら、手、虹彩、網膜、及び／または他の生理的な形質が含まれる。バイオメトリクスセンサ１２２は、画像キャプチャ装置、バイオメトリクススキャナ、及び／又はバイオメトリクスの特徴を観察するよう構成された他の装置を含んでもよい。ある実施形態では、バイオメトリクスセンサ１１２はユーザインタフェイス１３２に含まれていてもよい。
【００４９】
歩数計１２４は、パーソナルウェルネス装置１０２を運ぶユーザの歩数に関連する情報を伝達する歩数出力信号を生成するように構成されてもよい。前記歩数出力信号は、歩数、移動距離、及び／またはユーザの歩数から得られる、若しくはに関連する他の情報を決定するために用いられてもよい。ある実施形態では、歩数計１２４は、パーソナルウェルネス装置１０２と通信可能に接続し、パーソナルウェルネス装置１０２に歩数出力信号を送信するよう構成された別体で別個のものである装置を含んでもよい。
【００５０】
筋電気刺激インタフェイス１２６は、電極を有するパーソナルウェルネス装置１０２と遠隔で接続されるように構成されてもよい。前記電極は、ユーザに筋電気刺激を与えるよう構成されてもよい。ある実施形態においては、電気パルス（又は、他の波形）が前記筋電気刺激インタフェイス１２６によって前記電極に与えられ、そして近接の筋肉が受動的にエクササイズされるようユーザの体の表面領域に前記電気パルスが伝達されてもよい。
【００５１】
カメラ装置１２８は、ビジュアルデータをキャプチャするよう構成されてもよい。前記ビジュアルデータは、静止画、ビデオ、及び／または他のビジュアルデータであってもよい。一部の実施形態において、カメラ装置１２８はバイオメトリクスセンサとして利用されてもよい。カメラ装置１２８は、非制限的な例として、デジタルカメラ及び／又は他のイメージング装置であってもよい。
【００５２】
アクチュエータ１３０は、ユーザに触覚的なフィードバックを与えるよう構成されてもよい。触覚的なフィードバックは、好ましくは、ある使用形態において、例えばオーディオ又はビジュアルといった他のフィードバックメカニズムが不必要であってもよい。触覚的なフィードバックは、前記ユーザに与えられる力、振動、動き、及び／又は他の触覚的なフィードバックを含んでもよい。アクチュエータ１３０は、パーソナルウェルネス装置１０２の一又は複数の動きを生じさせるよう構成される機械式の装置を含んでもよい。ある実施形態においては、アクチュエータ１３０は、ドライブシャフトが振動を生成するようにドライブシャフトを不均衡な質量分布とした電気モータが含まれていてもよい。触覚フィードバックの一又は複数のパラメータは、ユーザに異なる情報を伝達できるように異なっていてもよい。前記パラメータは、方向、発生源の位置、期間、振動数、振幅、及び／又は他のパラメータを一つ以上含んでもよい。
【００５３】
ユーザインタフェース１３２は、ユーザからの情報を受信し、情報を前記ユーザに提供するよう構成されてもよい。このように、ユーザインタフェース１３２は、前記ユーザから情報を受信し、及び／又は前記ユーザに情報を提供することを促進するためのハードウェア及び／又はソフトウェアを含んでもよい。入力装置の例として、タッチスクリーン、タッチパッド、キーパッド、スイッチ、アナログスティック、ボタン、ダイアル、マイクロフォン、バイオメトリクスセンサ、及び／又はユーザから情報を受信するための他のハードウェアが一つ以上含まれる。出力装置の例として、ディスプレイ、タッチスクリーン、スピーカ、及び／又はユーザに情報を提供するように構成される他のハードウェアが一つ以上含まれる。
【００５４】
一部の実施形態に従い、図２Ａ、図２Ｂ、図３Ａ、図３Ｂ、図３Ｃ、図３Ｄ、図４Ａ及び／又は図４Ｂに示されるとおり、ユーザインタフェイス１３２は、開いた状態のパーソナルウェルネス装置１０２を用いてユーザによりアクセス可能であってもよい。様々な実施形態において、パーソナルウェルネス装置１０２が閉姿勢において、全て又は一部のユーザインタフェイス１３２がユーザによりアクセス可能であってもよい。様々な実施形態において、パーソナルウェルネス装置１３２が閉姿勢において全てのユーザインタフェイスがユーザによりアクセス不可能であってもよい。
【００５５】
一部の実施形態において、ユーザインタフェイス１３２は、他のユーザのセッティングを現在のユーザのセッティングに設定可能となるよう構成されてもよい。ユーザインタフェース１３２は、ユーザが設定可能なセッティングの値からユーザにより選択されたものを受信するように構成されてもよい。一又は複数のユーザが設定可能なセッティングは、パーソナルウェルネス装置１０２の一又は複数の構成装置の現在の動作に影響を与えるものであってもよい。非限定的な例として、ユーザが設定可能なセッティングが、パーソナルウェルネス装置１０２の一又は複数の構成装置を活性化、及び／又は非活性化してもよいし、及び／又はパーソナルウェルネス装置１０２の動作の一又は複数の態様を設定することができてもよい。このユーザが設定可能なセッティングは、個人のエクササイズ及び／又はパーソナルウェルネス装置のユーザのウェルネスと関連していてもよい。このユーザが設定可能なセッティングは、パーソナルウェルネス装置１０２のプロセッサ１４０に提供されてもよい。このユーザが設定可能なセッティングは、ユーザアクセサリ１０４の一又は複数のユーザアクセサリと、パーソナルコンピューティングプラットフォーム１０８と、パーソナルウェルネスプラットフォームサーバ１１０と、及び／又はパーソナルウェルネスシステム１００の他の構成装置に提供されてもよい。
【００５６】
通信装置１３４は、パーソナルウェルネス装置１０２から情報を受信及び／又は送信するよう構成されてもよい。このように、前記通信装置１３４は、無線通信インタフェイス及び有線通信インタフェイスのうち一つ又はその両方を含んでもよい。通信インタフェイスの例として、有線又は無線の送信部、有線又は無線の受信部、及び／又は優先又は無線の送受信部が含まれていてもよい。通信装置１３４は、パーソナルウェルネス装置１０２をコンピューティングプラットフォームに通信可能に接続し（例えば、パーソナルコンピューティングプラットフォーム１０８及び／又はパーソナルウェルネスプラットフォームサーバ１１０）、二つのハウジング本体、パーソナルウェルネス装置１０２から分離し区別されるユーザアクセサリ、及び／又はパーソナルウェルネスシステム１００の他の構成装置に作用する圧縮力に関連する情報を受信し、処理するよう構成されてもよい。
【００５７】
電源１３６は、電力をパーソナルウェルネス装置１０２の一又は複数の構成装置に供給するよう構成されてもよい。非制限的な例において、電源１３６はバッテリ、キャパシタ、電力を外部から受給される受給部（例えば、壁ソケット）、及び／又は他の電源を一つ以上含んでもよい。一部の実施形態において、電源１３６は再充電可能であってもよい。ある実施形態において、通信装置１３４はＵＳＢポート又は他の有線通信ポートを含んでもよく、通信装置１３４は電力を再充電するためにパーソナルウェルネスシステム１００、及び／又は他のソースから、電源１３６は際准電されてもよい。
【００５８】
電子ストレージ１３８は、情報を電子的に保存するよう構成されてもよい。電子ストレージ１３８と同一の又は類似する様々な電子ストレージが本明細書にてさらに説明される。
【００５９】
プロセッサ１４０は、コンピュータプログラムモジュールを実行するように構成されてもよい。プロセッサ１４０と同一の又は類似のプロセッサの例が図５に関連して記載される。
【００６０】
図２Ａ、図２Ｂ、図３Ａ、図３Ｂ、図３Ｃ、図３Ｄ、図４Ａ、及び図４Ｂは、様々なパーソナルウェルネス装置１０２の開いた、及び／又は閉姿勢の例を示している。一般的に、これらの実施例は、二つのハウジング本体（例えば、第１のハウジング本体、及び第２のハウジング本体）を含んで良い。第１のハウジング本体と第２のハウジング本体は、前記二つのハウジング本体が開姿勢と閉姿勢との間で再構成できるような接続機構によって、移動可能に一緒に接続されていてもよい。前記接続機構は、ヒンジ、ジョイント、回り継ぎ手、スライドトラック及び／又は移動可能に二つの本体を接続するよう構成された他の接続機構を一つ以上含んでもよい。前記二つのハウジング本体は、閉姿勢において、個人のエクササイズの間に圧縮力を受けるように構成されてもよい。
【００６１】
パーソナルウェルネス装置１０２の一又は複数のハウジング本体は、パーソナルウェルネス装置１０２の一又は複数の他の構成装置を収容し、及び／又は運ぶよう構成されてもよい。前記一又は複数の他の構成装置は、部分的に、又は全体としてハウジング本体内に配置されてもよく、又はハウジング本体の外表面に取り付けられてもよい。ある実施形態において、ハウジング本体の材料は、可撓性があり、弾性を有する材料、例えば可撓性を有する硬いゴムであってもよい。
【００６２】
一部の実施形態に従って、二つのハウジング本体は、完全に分離されており、お互い隣り合って、又は一方の一部又は全てを他方が囲まれるように一緒にドッキングしてもよい。このような実施形態では、他方がユーザインタフェイスを含む一方で、もう一つの本体が圧力センサ及び／又は様々な計測能力を有するよう構成された構成装置を含んでもよい。二つのハウジング本体は、分離した際には互いに無線で通信してもよい。ドッキングした場合において、二つの分離したハウジング本体は、無線で、及び／又はドッキングポートを介して通信してもよい。このドッキングポートは、一方のハウジング本体から、他方のハウジング本体に充電するために用いられてもよい。このような実施形態では、エクササイズの間、ユーザインタフェイスにアクセスが可能であってもよい。
【００６３】
図２Ａ及び図２Ｂは、それぞれ、接続機構２０６によって可動に接続された第１のハウジング本体２０２と第２のハウジング本体２０４を有するパーソナルウェルネス装置１０２の閉姿勢と、開姿勢の例を示している。第１のハウジング本体２０２は、表の面２０８と裏面２１０を有していてもよい。第２のハウジング本体２０４は、上面２１２と底面を有していてもよい（図２Ａ及び図２Ｂでは不図示）。上面２１２は凹面２１４を有してもよい。接続機構２０６は、第１のハウジング本体２０２の近位縁２１６を凹面２１４の近位縁２１８に可動に接続するよう構成されてもよい。非限定的な例として、接続機構２０６は、ヒンジ、ヒンジメカニズム、及び／又は第１のハウジング本体２０２と第２のハウジング本体２０４とを可動に接続するよう構成された他の接続機構を含んでもよい。第１のハウジング本体２０２の遠位縁２２０は、接続機構２０６で形成される回転軸の周りを凹部２１４の遠位縁２２２に対して向かうよう、又は離れるように往復運動をしてもよい。ユーザインタフェイス１３２と同一又は類似のユーザインタフェイスが、全体として、又はその一部が凹部２１４内に、及び／又は第１のハウジング本体２０２の裏面２１０上に位置してもよい。このように、開姿勢のパーソナルウェルネス装置１０２において、凹部２１４内に及び／又は裏面２１０上にその一部又は全てが位置するユーザインタフェイスに対して、ユーザはアクセスができてもよい（図２Ｂ参照）。閉姿勢（図２Ａ参照）において、第１のハウジング本体２０２の一部又は全てが、凹部２１４内にはめ込まれてもよい。力センサ１１２と同一又は類似の力センサが、第１のハウジング本体２０２の表の面２０８の近傍に、及び／又は第２のハウジング本体２０４の底面の近傍に配置されてもよい。エクササイズの間、閉姿勢にあるパーソナルウェルネス装置１０２において、第１のハウジング本体２０２の表の面２０８と第２のハウジング本体２０４の底面に対して実質的に垂直で互いに対向する方向に圧縮力が適用される。
【００６４】
図３Ｂ、図３Ｃ及び図３Ｄは、様々な接続機構によって互いに可動に接続している第１のハウジング本体３０２と第２のハウジング本体３０４を有するパーソナルウェルネス装置１０２の開姿勢の例を図示する一方、図３Ａは閉姿勢の例を図示する。第１のハウジング本体３０２は、外面３０６と内面３０８を有していてもよい（図３Ａ、図３Ｃ及び図３Ｄでは不図示）。第２のハウジング本体３０４は、外面（図３Ａ、図３Ｃ及び図３Ｄでは不図示）と内面３１０を有していてもよい。。閉姿勢（図３Ａ参照）において、第１のハウジング本体３０２の内面３０８と第２のハウジング本体３０４の内面３１０が、ユーザから目視できず、ユーザがアクセスができなくてもよい。ユーザインタフェイス１３２と同一又は類似のユーザインタフェイスの全て又はその一部が第１のハウジング本体３０２の内面３０８及び／又は第２のハウジング本体３０４の内面３１０に配置されてもよい。このように、開姿勢のパーソナルウェルネス装置を用いてユーザインタフェイスの全て又はその一部に対して、ユーザがアクセスができてもよい（図３Ｂ、図３Ｃ及び図３Ｄ参照）。力センサ１１２と同一又は類似の力センサは、第１のハウジング本体３０２の外面３０６の近傍に、及び／又は第２のハウジング本体３０４の外面の近傍に配置されてもよい。エクササイズの間、閉姿勢にあるパーソナルウェルネス装置１０２において、第１のハウジング本体３０２の外面３０６と第２のハウジング本体３０４の外面に対して実質的に垂直で互いに対向する方向に圧縮力が適用される。
【００６５】
図３Ｂで図示される実施形態において、第１のハウジング本体３０２と第２のハウジング本体３０４は接続機構３１２の方法で互いに可動に接続されている。接続機構３１２は、第１のハウジング本体３０２の内面３０８の近位縁を第２のハウジング本体３０４の内面３１０の近位縁３１６に可動に接続するよう構成されてもよい。非限定的な例として、接続機構３１２は、ヒンジ、ヒンジメカニズム、及び／又は第１のハウジング本体３０２と第２のハウジング本体３０４とを可動に接続するよう構成された他の接続機構を含んでもよい。第１のハウジング本体３０２の内面３０８の遠位縁３１８は、接続機構３１２で形成される回転軸の周りを第２のハウジング本体３０４の内面３１０の遠位縁３２０に対して向かうように、又は離れるように往復運動をしてもよい。
【００６６】
図３Ｃで図示される実施形態において、第１のハウジング本体３０２と第２のハウジング本体３０４は接続機構３２２の方法で互いに可動に接続されている。接続機構３２２は、第１のハウジング本体３０２の内面３０８の近位縁を第２のハウジング本体３０４の内面３１０の近位縁３１６に可動に接続するよう構成されてもよい。非限定的な例として、接続機構３２２は、トラック、スライド、及び／又は互いに可動に接続される際に、第１のハウジング本体３０２と第２のハウジング本体３０４との間で平行移動を提供するよう構成される他のメカニズムを含んでもよい。第１のハウジング本体３０２の第１の端面３２４は、接続機構３２２に案内されて、第２のハウジング本体３０４の第２の端面３２６に対して向かって、又は離れるようにスライドしてもよい。
【００６７】
図３Ｄで図示される実施形態において、第１のハウジング本体３０２と第２のハウジング本体３０４はピボット接続機構（図３Ｄに不図示）の方法で互いに可動に接続されていてもよい。ピボット接続機構は、第１のハウジング本体３０２と第２のハウジング本体３０４が互いに相対的に旋回又は回転するように、第１のハウジング本体３０２の内面３０８を第２のハウジング本体３０４の内面３１０と可動に接続するよう構成されてもよい。非限定的な例として、ピボット接続機構は、ピボット、回り継ぎ手、ジョイント、及び／又は互いに可動に接続される際に、第１のハウジング本体３０２と第２のハウジング本体３０４との間で回転を提供するよう構成される他のメカニズムを含んでもよい。第１のハウジング本体３０２の第１の隅部３２８は、ピボット接続機構によって形成される回転軸３３２の周りを第２のハウジング本体３０４の第２の隅部３３０に対して向かうように、又は離れるように往復運動をしてもよい。
【００６８】
図４Ａ及び図４Ｂは、それぞれ、スライド接続機構（図４Ａ及び図４Ｂには不図示。）によって可動に接続された第１のハウジング本体４０２と第２のハウジング本体４０４を有するパーソナルウェルネス装置１０２の閉姿勢と、開姿勢の例を示している。第１のハウジング本体４０２は、外面４０６と底面（図４Ａ及び図４Ｂでは不図示）を含んでもよい。第２のハウジング本体３０４は、側面４０８、上面４１０、及び底面（図４Ａ及び図４Ｂでは不図示）を含んでもよい。非限定的な例として、スライド接続機構は、トラック、スライド、及び／又は互いに可動に接続される際に、第１のハウジング本体４０２と第２のハウジング本体４０４との間で平行移動を提供するよう構成される他のメカニズムを含んでもよい。第１のハウジング本体４０４の側面４０８は、スライド接続機構に案内されて、第１のハウジング本体４０２に対して、向かって又は離れるようにスライドしてもよい。閉姿勢（図４Ａ参照）において、第１のハウジング本体４０２は、露出されたままでもよい側面４０８を除いて、第２のハウジング本体４０４によって完全に包まれていてもよい。ユーザインタフェイス１３２と同一又は類似のユーザインタフェイスが全体として、又はその一部が上面４１０上に、及び／又は第２のハウジング本体４０４の底面上に位置してもよい。このように、開姿勢のパーソナルウェルネス装置１０２において、第２のハウジング本体４０４の上面４１０及び／又は底面上にその一部又は全てが位置することになるユーザインタフェイスに対して、ユーザはアクセスできてもよい（図４Ｂ参照）。力センサ１１２と同一又は類似の力センサは、第１のハウジング本体４０２の上面４０６の近傍に、及び／又は底面４０２の近傍に配置されてもよい。エクササイズの間、閉姿勢にあるパーソナルウェルネス装置１０２において、第１のハウジング本体４０２の上面４０６と底面に対して実質的に垂直で互いに対向する方向に圧縮力が適用される。
【００６９】
パーソナルウェルネス装置１０２は図２Ａ、図２Ｂ、図３Ａ、図３Ｂ、図３Ｃ、図３Ｄ、図４Ａ及び図４Ｂに関連して記載されているが、これに限定するものではなく、他の構成も考えられ、本発明の範囲内に含まれる。
【００７０】
図１に図示されるとおり、ユーザアクセサリ１０４は、物理的に、及び／又は通信可能にパーソナルウェルネス装置１０２と接続されるように構成されてもよい。ユーザアクセサリ１０４は、パーソナルウェルネス装置１０２におけるエクササイズの能力を拡張するよう構成されてもよく、パーソナルウェルネス装置１０２のユーザに治療を提供するよう構成されてもよく、パーソナルウェルネス装置１０２のユーザの一又は複数のバイタルサインの監視を促すよう構成されてもよく、パーソナルウェルネス装置１０２のゲーム機能を拡張するよう構成されてもよく、及び／又はパーソナルウェルネス装置１０２の他の機能を拡張するよう構成されてもよい。
【００７１】
ユーザアクセサリ１０４が、パーソナルウェルネス装置１０２の能力を拡張するような実施形態においては、ユーザアクセサリ１０４はストラップ（図１には不図示。）又はストラップが有する機能と類似する機能を有するよう構成された他の装置であってもよい。このようなストラップは、パーソナルウェルネス装置１０２に物理的に接続し、ストラップに作用する張力に応じてパーソナルウェルネス装置１０２上の圧縮力を発揮するよう促してもよい。前記ストラップは、フック、スナップ、面ファスナー、及び／または他の着脱可能に接続する手段により、パーソナルウェルネス装置１０２に着脱可能に接続してもよい。
【００７２】
ユーザアクセサリ１０４が、パーソナルウェルネス装置１０２のユーザに治療を提供するような実施形態においては、ユーザアクセサリ１０４は電極を含んでもよい。ある実施形態においては、筋電気刺激インタフェイス１２６は、電極を有するパーソナルウェルネス装置１０２と遠隔で接続されるように構成されてもよい。前記電極は、ユーザに筋電気刺激を与えるよう構成されてもよい。
【００７３】
ユーザアクセサリ１０４が、パーソナルウェルネス装置１０２のユーザの一又は複数のバイタルサインを監視するのを促すよう構成されている実施形態においては、ユーザアクセサリ１０４は、体温、心拍数、呼吸レート、血圧、汗、及び／または他のバイタルサインを一つ以上監視することを促すよう構成された一又は複数のアクセサリが含まれていてもよい。ある実施形態においては、ユーザアクセサリ１０４は、胸ストラップ、フィンガークリップ、心拍数センサが統合された装飾品、及び／又は心拍数を検知し、心拍数センサ１１８と通信可能に接続するよう構成された他の装置であってもよい。一部の実装態様においては、ユーザアクセサリ１０４は、血圧センサを含んでもよい。血圧センサは、パーソナルウェルネス装置１０２に関連付けられたユーザの血圧に関連する情報を伝達する血圧出力信号を生成するよう構成されてもよい。
【００７４】
ユーザアクセサリ１０４がパーソナルウェルネス装置１０２の他の機能を拡張するよう構成された実施形態において、ユーザアクセサリ１０４は、有線のヘッドセット、無線ヘッドフォン、ディスプレイを有する装置、ユーザの体に取り付けられ、動き、ポジション、及び／又はユーザに関連付けられた他の情報を伝達する信号を提供する一又は複数のセンサ、ユーザ及び／又は体の部分の動き、サイズ及び／又はポジションを決定するよう構成された装置（例えば、ＭＳ  ＫｉｎｅｃｔTM）及び／又はパーソナルウェルネス装置１０２の一又は複数の機能を拡張するよう構成された他のアクセサリを一つ以上含んでもよい。ユーザ及び／又は体の部分の動き、サイズ、及び／又はポジションを決定するよう構成された装置は、ユーザの体に取り付けられた一又は複数のセンサから受信した光学的な情報、信号、及び／又はユーザに関連付けられた他の情報に基づいて、決定してもよい。
【００７５】
外部リソース１０６は、情報のソース、パーソナルウェルネスシステムのホスト及び／又はプロバイダ、パーソナルウェルネスシステム１００への外部からの参加者、及び／または他のリソースであってもよい。一部の実施形態において、外部リソース１０６の機能の一部又はすべてが、パーソナルウェルネスシステム１００に含まれるリソースによって提供されてもよい。
【００７６】
パーソナルコンピューティングプラットフォーム１０８は、電子ストレージ１４２、少なくとも一つのプロセッサ１４４、及び／または他の構成装置を一つ以上含んでもよい。電子ストレージ１４２は、情報を電子的に保存するよう構成されてもよい。電子ストレージ１４２と同一の又は類似する様々な電子ストレージが本明細書にてさらに説明される。プロセッサ１４４は、コンピュータプログラムモジュールを実行するように構成されてもよい。プロセッサ１４４と同一の又は類似のプロセッサの例が図５に関連して記載される。パーソナルコンピューティングプラットフォーム１０８は、前記パーソナルウェルネス装置１０２及び／又はパーソナルウェルネスシステム１００の他の構成装置と通信可能に接続するよう構成されてもよい。パーソナルコンピューティングプラットフォーム１０８は、個人用エクササイズ、パーソナルウェルネス装置１０２に作用する圧縮力、及び／又はパーソナルウェルネスシステム１００に関連付けられた他の情報の一つ以上に関連する情報を受信、送信、処理、及び／又は保存するよう構成されてもよい。ある実施形態においては、コンピューティングプラットフォーム１０４は、パーソナルコンピュータ、ノートパソコン、タブレットコンピュータ、スマートフォン、パーソナルディジタルアシスタント（Ｐｅｒｓｏｎａｌ  Ｄｉｇｉｔａｌ  Ａｓｓｉｓｔａｎｔ、ＰＤＡ）、ゲームコンソール、及び／又は他のコンピューティングプラットフォームを一つ以上含んでもよい。
【００７７】
パーソナルウェルネスプラットフォームサーバ１１０は、電子ストレージ１４６、少なくとも一つのプロセッサ１４８、及び／または他の構成装置を一つ以上含んでもよい。電子ストレージ１４６は、情報を電子的に保存するよう構成されてもよい。電子ストレージ１４６と同一の又は類似する様々な電子ストレージが本明細書にてさらに説明される。プロセッサ１４８は、コンピュータプログラムモジュールを実行するように構成されてもよい。プロセッサ１４６と同一の又は類似のプロセッサの例が図５に関連して記載される。パーソナルウェルネスプラットフォームサーバ１１０は、パーソナルウェルネス装置１０２及び／又はパーソナルウェルネスシステム１００の他の構成装置と通信可能に接続するよう構成されてもよい。パーソナルウェルネスプラットフォームサーバ１１０は、個人のエクササイズ、パーソナルウェルネス装置１０２に作用する圧縮力、及び／又はパーソナルウェルネスシステム１００に関連付けられた他の情報の一つ以上に関連する情報を受信、送信、処理、及び／又は保存するよう構成されてもよい。一部の実施形態においては、パーソナルウェルネスプラットフォームサーバ１１０は、パーソナルウェルネスプラットフォームサーバ１１０と共に動作するコンピューティングプラットフォームのクラウドによって実装されてもよい。
【００７８】
パーソナルウェルネス装置１０２の電子ストレージ１３８、パーソナルコンピューティングプラットフォーム１０８の電子ストレージ１４２及び／又はパーソナルウェルネスプラットフォームサーバ１１０の電子ストレージ１４６は電子的に情報を保存する電子ストレージメディアを備えてもよい。このような電子ストレージメディアには、パーソナルウェルネス装置１０２、パーソナルコンピューティングプラットフォーム１０８、及び／又はパーソナルウェルネスプラットフォームサーバ１１０に対して統合的に（すなわち、実質的に着脱が不可能に）提供されるシステムストレージが含まれてもよい。電子ストレージメディアには、例えばポート（例えばＵＳＢポート、ファイヤーワイヤーポート等）やドライブ（例えばディスクドライブ等）を介して、パーソナルウェルネス装置１０２、パーソナルコンピューティングプラットフォーム１０８、及び／又はパーソナルウェルネスプラットフォームサーバ１１０に遠隔で接続が可能である、着脱可能なストレージが含まれてもよい。電子ストレージ１３８、電子ストレージ１４２及び／又は電子ストレージ１４６には、光学的に読み取り可能な記憶メディア（例えば光学ディスク等）、磁気的に読み取り可能な記憶メディア（例えば磁気テープ、磁気ハードドライブ、フロッピードライブ等）、電荷型ストレージメディア（例えばＥＥＰＲＯＭ、ＲＡＭ等）、ソリッドステート・ストレージメディア（例えばフラッシュドライブ等）、及び／又は前記以外の電子的に読み取り可能なストレージメディアが一つ以上含まれてもよい。電子ストレージ１３８、電子ストレージ１４２及び／又は電子ストレージ１４６には、一又は複数の仮想ストレージリソース（例えば、クラウドストレージ、仮想プライベートネットワーク、及び／又はこれら以外の仮想ストレージリソース）が含まれてもよい。電子ストレージ１３８、電子ストレージ１４２及び／又は電子ストレージ１４６は、ソフトウェアアルゴリズム、一又は複数のプロセッサ（例えば、プロセッサ１４０、プロセッサ１４４、及び／又はプロセッサ１４８）によって決定される情報、パーソナルウェルネス装置１０２、ユーザアクセサリ１０４、外部リソース１０６、パーソナルコンピューティングプラットフォーム１０８、及び／又はパーソナルウェルネスプラットフォームサーバ１１０から受信する情報、及び／又はパーソナルウェルネスシステム１００が、本明細書で記載した機能を発揮することを可能とする他の情報を保存してもよい。
【００７９】
一又は複数の実施形態に従って、図５は、パーソナルウェルネスシステム１００の一又は複数の構成装置に含まれるプロセッサ５００の一例を示している。プロセッサ５００は、パーソナルウェルネス装置１０２のプロセッサ１４０、パーソナルコンピューティングプラットフォーム１０８のプロセッサ１４４、及び／又はパーソナルウェルネスプラットフォームサーバ１１０のプロセッサ１４８と同一である、又は類似している。プロセッサ５００はパーソナルウェルネスシステム１００の情報処理能力を提供するよう構成される。プロセッサ５００は、デジタルプロセッサ、アナログプロセッサ、情報処理用のデジタル回路、情報処理用のアナログ回路、ステートマシン、及び／又は電子的に情報を処理する前記以外のメカニズムを一つ以上備える。図５に、単一のエンティティとしてプロセッサ５００が示されているが、これは単に説明を目的としたものである。一部の実施形態において、プロセッサ５００は複数の処理装置を含む。これらの処理装置は物理的に同一の装置内に配置されてもよく、または共同して動作する複数の装置の処理機能をプロセッサ５００が代表してもよい。
【００８０】
図５に図示されるとおり、プロセッサ５００は、提供モジュール５０２、音声命令モジュール５０４、バイオメトリクスモジュール５０６、緊急アラートモジュール５０８、バックアップモジュール５１０、アップデートモジュール５１２、通信モジュール５１４及び／又は他のコンピュータプログラムモジュールを一つ以上実行するよう構成されてもよい。プロセッサ５００は、ソフトウェア、ハードウェア、ファームウェア、何らかの方法で組み合わされたソフトウェア、ハードウェア、及び／またはファームウェア、及び／またはプロセッサ５００の処理能力を構成する他のメカニズムを用いて、モジュール５０２、５０４、５０６、５０８、５１０、５１２、５１４及び／又他のモジュールを実行するよう構成されてもよい。
【００８１】
図５においてモジュール５０２、５０４、５０６、５０８、５１０、５１２、及び５１４は、同じく単一の処理装置内に配置されるものとして示されるが、プロセッサ５００が複数の処理装置を含む実施形態においては、モジュール５０２、５０４、５０６、５０８、５１０、５１２、及び／又は５１４のうちの一または複数が他のモジュールから離れて配置されてもよい。例えば、一又は複数のモジュール５０２、５０４、５０６、５０８、５１０、５１２、５１４、及び／又は他のモジュールは、パーソナルウェルネス装置１０２のプロセッサ１４０、パーソナルコンピューティングプラットフォーム１０８のプロセッサ１４４、及び／又はパーソナルウェルネスプラットフォームサーバ１１０のプロセッサ１４８によって実行されてもよい。以下の異なるモジュール５０２、５０４、５０６、５０８、５１０、５１２、及び／又は５１４によって提供される機能の記述は説明のためのものであり、限定を意図したものではない。モジュール５０２、５０４、５０６、５０８、５１０、５１２、及び／又は５１４はいずれも記述されるよりも多くの、または少ない機能を提供してもよい。例えば、モジュール５０２、５０４、５０６、５０８、５１０、５１２、及び／又は５１４のうちの一または複数を取り除き、その機能の一部またはすべてを、モジュール５０２、５０４、５０６、５０８、５１０、５１２、及び／又は５１４のうちの他のモジュールで提供してもよい。他の例として、以下でモジュール５０２、５０４、５０６、５０８、５１０、５１２、及び／又は５１４のうちの１つに帰せられる機能の一部またはすべてを実行する１つまたは複数の追加的なモジュールを実行するように、プロセッサ５００が構成されてもよい。
【００８２】
提供モジュール５０２は、ユーザインタフェイス１３２を介してパーソナルウェルネスシステム１００に関連付けられた情報を提供するよう構成されてもよい。このような情報は、視覚的に、音として、及び／または他の提供される方法で提供されてもよい。ある実施形態によると、提供モジュール５０２は、力センサ１１２により提供される力出力信号から得られた情報、地理的位置センサ１１４により提供される位置出力信号から得られた情報、モーションセンサ１１６により提供される動き出力信号から得られた情報、歩数計１２４により提供される歩数出力信号から得られた情報、心拍数センサ１１８により提供される心拍数出力信号から得られた情報、血圧センサにより提供される血圧出力信号から得られた情報、一又は複数の他のモジュールにより提供される情報、及び／又はパーソナルウェルネスシステム１００と関連付けられた他の情報を提供するよう構成されてもよい。
【００８３】
音声命令モジュール５０４は、音声の命令を受信し、受信した音声の命令に基づいて対応する操作を開始するように構成されてもよい。パーソナルウェルネス装置１０２のユーザインタフェイス１３２がマイクロフォンを含む一部の実施形態において、音声命令モジュール５０４が、前記マイクロフォンでキャプチャされ音声命令を含むオーディオ情報を受信するように構成されてもよい。音声命令モジュール５０４は、音声命令を含むオーディオ情報の受信に応じて受信したオーディオ情報の音声命令に対応する操作を一又は複数のプロセッサ（例えば、プロセッサ５００）により開始するよう構成されてもよい。音声命令モジュール５０４は、音声認識、音声テキスト変換、及び／又は他の音声に関する技術を一つ以上用いてもよい。音声命令モジュール５０４は、話者の音声に基づいて話者を特定するように構成されてもよい。
【００８４】
バイオメトリクスモジュール５０６は、バイオメトリクス情報に基づいてユーザを特定し、及び／又は認証するよう構成されてもよい。前記バイオメトリクス情報は、前記バイオメトリクスセンサ１２２によって提供されるバイオメトリクス出力信号から得られたものであってもよい。前記バイオメトリクス情報は、ユーザの体の形に関連する生理的形質といったユーザのバイオメトリクスの特徴と関連付けられてもよい。生理的な形質の例として、指紋、顔、手のひら、手、虹彩、網膜、及び／または他の生理的な形質が含まれる。バイオメトリクスモジュール５０６は、所定のユーザに関連付けられたバイオメトリクス情報をパーソナルウェルネス装置１０２、パーソナルコンピューティングプラットフォーム１０８、パーソナルウェルネスプラットフォームサーバ１１０、及び／又はパーソナルウェルネスシステム１００の他の構成装置に保存されるバイオメトリクス情報と比較することで該所定のユーザを特定し、及び／又は認証してもよい。
【００８５】
緊急アラートモジュール５０８は、パーソナルウェルネス装置１０２に関連付けられたユーザの一又は複数のバイタルサインを監視するよう構成されてもよい。バイタルサインの例として、体温、心拍数、呼吸レート、血圧、及び／又は他のバイタルサインが一つ以上含まれてもよい。心拍数センサ、血圧センサ、及び／又はパーソナルウェルネス装置１０２に通信可能に接続される、若しくは含まれる他のセンサを介して、又はと共にバイタルサインの監視が行われてもよい。緊急アラートモジュール５０８は、閾値条件に合致する一又は複数のバイタルサインの個々のバイタルサインに応じて、緊急アラートを緊急対応サービスに提供するよう構成されてもよい。例えば、ユーザの心拍数が閾値レートより下回ったことに応じて、緊急アラートが緊急対応サービスに送信されてもよい。
【００８６】
バックアップモジュール５１０は、パーソナルウェルネス装置１０２に保存される情報をバックアップするよう構成されてもよい。パーソナルウェルネス装置１０２に保存される情報は、情報を電子的に保存するよう構成された遠隔電子ストレージ（例えば、パーソナルコンピューティングプラットフォーム１０８の電子ストレージ１４２、及び／又はパーソナルウェルネスプラットフォームサーバ１１０の電子ストレージ１４６）に対して発信されてもよい。バックアップモジュール５１０は、スケジュールに従って、ユーザの命令に応じて、パーソナルウェルネス装置１０２に保存されている情報に応じて、パーソナルコンピューティングプラットフォーム１０２及び／又はパーソナルウェルネスプラットフォームサーバ１１０とパーソナルウェルネス装置１０２が通信可能に接続されるのに応じて、及び／又は他の条件に基づいてバックアップを行うよう構成されてもよい。
【００８７】
アップデートモジュール５１２は、パーソナルウェルネス装置１０２のソフトウェア及び／又はファームウェアのアップデートを管理する。ソフトウェアアップデート、及び／又はファームウェアアップデートはパーソナルコンピューティングプラットフォーム１０８、パーソナルウェルネスプラットフォームサーバ１１０、及び／またはパーソナルウェルネスシステム１００の他の構成装置から発信されてもよい。ソフトウェアアップデート、及び／又はファームウェアアップデートはパーソナルウェルネス装置１０２によって受信されてもよい。ソフトウェアアップデート及び／又はファームウェアアップデートは、プロセッサ１４０及び／又はパーソナルウェルネス装置１０２の他の構成装置に実装されてもよい。
【００８８】
通信モジュール５１４は、個人間の通信機能をパーソナルウェルネス装置１０２に提供するよう構成されてもよい。個人間の通信機能の例として、インターネットプロトコルを用いた音声通話（Ｖｏｉｃｅ  ｏｖｅｒ  Ｉｎｔｅｒｎｅｔ  Ｐｒｏｔｏｃｏｌ、ＶｏＩＰ）やショートメッセージサービス（ｓｈｏｒｔ  ｍｅｓｓａｇｅ  ｓｅｒｖｉｃｅ、ＳＭＳ）、マルチメディアメッセージングサービス（ｍｕｌｔｉｍｅｄｉａ  ｍｅｓｓａｇｉｎｇ  ｓｅｒｖｉｃｅ、ＭＭＳ）、ビデオ会議、電話、及び／又は他の個人間の通信機能が一つ以上含まれてもよい。通信モジュール５１４は、個人間の通信機能を提供するため、ユーザインタフェイス１３２と共に動作してもよい。
【００８９】
図６は、一又は複数の実施形態に従って、パーソナルウェルネス装置を介して、個人のウェルネスを促す方法６００を図示する。以下で説明する方法６００の工程は、説明のためのものに過ぎない。一部の実施形態において、方法６００は、説明されていない一又は複数の追加的な工程を備えて実現されてもよく、説明する工程の一又は複数を省略して実現されてもよい。また、図６に示されて以下で説明される方法６００の工程の順序は限定的なものではない。
【００９０】
一部の実施形態において、方法６００は、一又は複数の処理装置（例えば、デジタルプロセッサ、アナログプロセッサ、情報処理用のデジタル回路、情報処理用のアナログ回路、ステートマシン、及び／又は電子的に情報を処理する前記以外のメカニズム）において実行され得る。この一又は複数の処理装置には、電子ストレージメディアに電子的に格納された命令に応答して、方法６００の工程の一部又は全部を実行する一又は複数の装置を備えてもよい。この一又は複数の処理装置には、方法６００の工程の一又は複数を実行するために設計されたハードウェア、ファームウェア、及び／又はソフトウェアで構成された一又は複数の装置が含まれる。
【００９１】
工程６０２において、パーソナルウェルネスシステム１００に関連付けられた情報は、パーソナルウェルネス装置（例えばパーソナルウェルネス装置１０２）のユーザインタフェイス（例えば、ユーザインタフェイス１３２）を介して提供される。工程６０２は、一部の実施形態に従い、提供モジュール５０２と同一又は類似の提供モジュールによって行われる。
【００９２】
工程６０４において、プロセッサ（例えば、プロセッサ５００）による一又は複数の動作は、受信した音声命令に従って開始される。工程６０４は、一部の実施形態に従い、音声命令モジュール５０４と同一又は類似の音声命令モジュールによって行われる。
【００９３】
工程６０４において、バイオメトリクス情報に基づいてユーザが特定され、及び／又は認証されてもよい。工程６０６は、一又は複数の実施形態に従い、バイオメトリクスモジュール５０６と同一又は類似のバイオメトリクスモジュールによって行われる。
【００９４】
工程６０８において、例えば、バイタルサインが閾値の条件を満たしたことに応じて、緊急アラートが緊急対応サービスに提供されてもよい。工程６０８は、一又は複数の実施形態に従い、緊急アラートモジュール５０８と同一又は類似の緊急アラートモジュールによって行われてもよい。
【００９５】
工程６１０において、パーソナルウェルネス装置（例えばパーソナルウェルネス装置１０２）によって保存される情報は、電子的に情報を保存するよう構成された遠隔の電子ストレージにバックアップされてもよい。一部の実施形態において、このような遠隔電子ストレージに保存される情報は、パーソナルウェルネス装置に転送されてもよい。これにより、パーソナルウェルネス装置の同期機能が提供される。工程６１０は、一又は複数の実施形態に従い、バックアップモジュール５１０と同一又は類似のバックアップモジュールによって行われる。
【００９６】
工程６１２において、受信したソフトウェアアップデート、及び／又はファームウェアアップデートは、一又は複数のプロセッサ（例えばプロセッサ５００）に実装されてもよい。工程６１２は、一又は複数の実施形態に従い、アップデートモジュール５１２と同一又は類似のアップデートモジュールによって行われる。
【００９７】
工程６１４において、個人間の通信は、パーソナルウェルネス装置（例えば、パーソナルウェルネス装置１０２）を介して行われてもよい。個人間の通信として、インターネットプロトコルを用いた音声通話（Ｖｏｉｃｅ  ｏｖｅｒ  Ｉｎｔｅｒｎｅｔ  Ｐｒｏｔｏｃｏｌ、ＶｏＩＰ）やショートメッセージサービス（ｓｈｏｒｔ  ｍｅｓｓａｇｅ  ｓｅｒｖｉｃｅ、ＳＭＳ）、マルチメディアメッセージングサービス（ｍｕｌｔｉｍｅｄｉａ  ｍｅｓｓａｇｉｎｇ  ｓｅｒｖｉｃｅ、ＭＭＳ）、ビデオ会議、電話、及び／又は他の個人間の通信機能が一つ以上含まれていてもよい。工程６１４は、一又は複数の実施形態に従い、通信モジュール５１４と同一又は類似の通信モジュールによって行われる。
【００９８】
現時点で最も実用的であり好ましいと考えられる態様に基づいて、本発明を例示のために詳細に説明したが、このような詳細な説明は例示のみを目的としたものである。本発明は開示された実施形態に限定されるものではなく、むしろ添付された特許請求の範囲の趣旨及び範囲に入る変形や均等な配置も本発明に含められることが意図されている。例えば、本発明においては、あらゆる実施形態の一又は複数の特徴を他の実施形態の一又は複数の特徴と可能な限り結合することができる。
【図１】
2015529474.tif 000003
【図２Ａ】
2015529474.tif 000004
【図２Ｂ】
2015529474.tif 000005
【図３Ａ】
2015529474.tif 000006
【図３Ｂ】
2015529474.tif 000007
【図３Ｃ】
2015529474.tif 000008
【図３Ｄ】
2015529474.tif 000009
【図４Ａ】
2015529474.tif 000010
【図４Ｂ】
2015529474.tif 000011
【図５】
2015529474.tif 000012
【図６】
2015529474.tif 000013
【国際調査報告】
2015529474.tif 000014